【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
セルラー通信システムのための装置であって：
当該セルラー通信システムの無線インターフェースを介した送信のためのデータを再送信スキームを使ってスケジューリングするスケジューラと；
該スケジューラに関連付けられた負荷特性を判別する負荷手段と；
該負荷特性に応じて前記再送信スキームのための目標パラメータを設定する手段と；
前記目標パラメータに応じて送信のための送信パラメータを設定する手段、
とを有する装置。
【請求項２】
前記送信パラメータが：メッセージ送信電力、送信電力基準指標、変調パラメータ、誤り符号化パラメータまたは送信パラメータセット制約のうちの一つまたは複数を含む、請求項１記載の装置。
【請求項３】
前記目標パラメータが誤り率である、請求項１または２記載の装置。
【請求項４】
前記誤り率がブロック誤り率である、請求項３記載の装置。
【請求項５】
前記送信パラメータが、メッセージの初期送信の送信パラメータである、請求項１ないし４のうちいずれか一項記載の装置。
【請求項６】
再送信の確率が、前記送信パラメータの設定に依存する、請求項１ないし５のうちいずれか一項記載の装置。
【請求項７】
前記負荷手段が、ペンディング送信データの量に応じて前記負荷特性を決定するよう動作しうる、請求項１記載の装置。
【請求項８】
前記ペンディング送信データが単一のセルに関するものである、請求項７記載の装置。
【請求項９】
前記ペンディング送信データが複数のセルに共通の無線コントローラに関するものでる、請求項７または８記載の装置。
【請求項１０】
ペンディングデータの前記量が送信データバッファの充填率に対応する、請求項７ないし９のうちいずれか一項記載の装置。
【請求項１１】
前記負荷手段が前記負荷特性を、付属しているリモートユニットの数またはリモートユニットから受信される負荷指標に応じて決定するよう動作しうる、請求項１ないし１０のうちいずれか一項記載の装置。
【請求項１２】
前記送信パラメータが、負荷が増すのに対して再送信数が増す方向にバイアスされている、請求項１ないし１１のうちいずれか一項記載の装置。
【請求項１３】
さらにパフォーマンス特性を測定する手段を有しており；前記目標パラメータを設定する手段がさらに前記パフォーマンス特性に応じて前記目標パラメータを設定するよう動作しうる、請求項１ないし１２のうちいずれか一項記載の装置。
【請求項１４】
前記目標パラメータのある指標を基地局からリモートユニットに送信する手段をさらに有する、請求項１ないし１３のうちいずれか一項記載の装置。
【請求項１５】
前記送信パラメータのある指標を基地局からリモートユニットに送信する手段をさらに有する、請求項１ないし１４のうちいずれか一項記載の装置。
【請求項１６】
前記送信パラメータを設定する手段が基地局内に含まれており、前記目標パラメータを設定する手段が、前記目標パラメータのある指標を前記基地局に通信するよう動作しうる無線ネットワークコントローラ内に含まれている、請求項１ないし１５のうちいずれか一項記載の装置。
【請求項１７】
前記目標パラメータを、その目標パラメータを決定する手段に関連付けられたセルとは異なるセルに関連付けられたスケジューリング機能に通信する手段をさらに有する、請求項１ないし１６のうちいずれか一項記載の装置。
【請求項１８】
前記負荷特性を、その負荷特性パラメータを決定する手段とは異なるセルに関連付けられたスケジューリング機能に通信する手段をさらに有する、請求項１ないし１７のうちいずれか一項記載の装置。
【請求項１９】
前記再送信スキームがハイブリッド・自動反復要求（H-ARQ）スキームである、請求項１ないし１８のうちいずれか一項記載の装置。
【請求項２０】
前記セルラー通信システムが第三世代パートナーシッププロジェクト（3GPP）の技術仕様に準拠する、請求項１ないし１９のうちいずれか一項記載の装置。
【請求項２１】
セルラー通信システムにおける動作方法であって、該セルラー通信システムは少なくとも当該セルラー通信システムの無線インターフェースを介した送信のためのデータを再送信スキームを使ってスケジューリングするスケジューラを有しており、当該方法は：
前記スケジューラに関連付けられた負荷特性を判別する段階と；
前記負荷特性に応じて前記再送信スキームのための目標パラメータを設定する段階と；
前記目標パラメータに応じて送信のための送信パラメータを設定する段階、
とを有する方法。
【請求項２２】
請求項２１記載のセルラー通信システムのための方法であって、負荷特性を判別する前記段階が、前記スケジューラに関連付けられた負荷特性を受信する段階を含む、方法。
【請求項２３】
セルラー通信システムにおける動作のための実行可能命令を記憶しているコンピュータ可読媒体であって、該セルラー通信システムは少なくとも、当該セルラー通信システムの無線インターフェースを介した送信のためのデータを再送信スキームを使ってスケジューリングするスケジューラを含んでおり：
前記スケジューラに関連付けられた負荷特性を判別する段階と；
前記負荷特性に応じて前記再送信スキームのための目標パラメータを設定する段階と；
前記目標パラメータに応じて送信のための送信パラメータを設定する段階、
とのための命令を有している媒体。
【請求項２４】
請求項２３記載のコンピュータプログラムを有する記録担体。
【請求項２５】
セルラー通信システムのための装置であって、該セルラー通信システムは当該セルラー通信システムの無線インターフェースを介した送信のためのデータを再送信スキームを使ってスケジューリングするスケジューラを有しており、当該装置は：
該スケジューラに関連付けられた負荷特性を受信する負荷手段と；
該負荷特性に応じて、送信のための送信パラメータの設定を示す、再送信スキームのための目標パラメータを設定する手段、
とを有する装置。
【請求項２６】
請求項２５記載の、セルラー通信システムのための装置であって、さらに：
前記目標パラメータに応じて送信のための送信パラメータを設定する手段を有する装置。
【請求項２７】
セルラー通信システムのための装置であって：
当該セルラー通信システムの無線インターフェースを介した送信のためのデータを再送信スキームを使ってスケジューリングするスケジューラと；
該スケジューラに関連付けられた負荷特性に依存する、前記再送信スキームのための目標パラメータを受信する手段と；
該目標パラメータに応じて送信のための送信パラメータを設定する手段、
とを有する装置。
【請求項２８】
セルラー通信システムのための方法であって、該セルラー通信システムは当該セルラー通信システムの無線インターフェースを介した送信のためのデータを再送信スキームを使ってスケジューリングするスケジューラを有しており、当該方法は：
該スケジューラに関連付けられた負荷特性を決定する段階と；
該負荷特性に応じて、送信のための送信パラメータの設定を示す、再送信スキームのための目標パラメータを設定する段階、
とを有する方法。
【請求項２９】
請求項２８記載の、セルラー通信システムのための方法であって：
再送信スキームのために、該スケジューラに関連付けられた負荷特性に依存する目標パラメータを受信する段階と；
該目標パラメータに応じて送信のための送信パラメータを設定する段階、
とを有する方法。
【手続補正２】
【補正対象書類名】明細書
【補正対象項目名】発明の名称
【補正方法】変更
【補正の内容】
【発明の名称】セルラー通信システムにおける再送信スキーム